(57)【要約】【課題】  フィルタ部材の外郭と筐体との隙間を気密可能なフィルタ部材を形成させることで、部品コストの低減が図れることを可能とするフィルタ装置を実現する。【解決手段】  フィルタ部材１０は、空気流れ下流側の両端に谷折を配置させて所定のピッチよりも小さいピッチの谷折、山折からなる両端部１０ａを形成するとともに、両端部１０ａに形成された山折の頂部もしくは谷折の下端部で筐体１とフィルタ部材１０の外郭とを気密するように配設される。これにより、部品コストの低減が図れる。【選択図】        図１
2005296815.tif 000002
【特許請求の範囲】
【請求項１】
空気通路を形成する筐体（１）に配設され、空気中の粉塵、埃を除去する濾過部（１１）が所定のピッチに基づいて山折、谷折を交互に配列するように形成されたフィルタ部材（１０）を備えるフィルタ装置であって、
前記フィルタ部材（１０）は、空気流れ下流側の両端に谷折を配置させて前記所定のピッチよりも小さいピッチの谷折、山折からなる両端部（１０ａ）を形成するとともに、
前記両端部（１０ａ）に形成された少なくとも一つの山折の頂部で前記筐体（１）と前記フィルタ部材（１０）の外郭とを気密するように前記筐体（１）に配設されることを特徴とするフィルタ装置。
【請求項２】
前記フィルタ部材（１０）は、前記両端部（１０ａ）に形成された少なくとも一つの谷折の下端部で前記筐体（１）と前記フィルタ部材（１０）の外郭とを気密するように前記筐体（１）に配設されることを特徴とするフィルタ装置。
【請求項３】
前記筐体（１）には、前記フィルタ部材（１０）を支持する支持部材（１ａ、１ｂ）が設けられ、
前記支持部材（１ａ、１ｂ）は、前記フィルタ部材（１０）の前記両端部（１０ａ）を支持するとともに、前記両端部（１０ａ）に形成された山折の頂部もしくは谷折の下端部で前記筐体（１）と前記フィルタ部材（１０）の外郭とを気密することを特徴とする請求項１または請求項２に記載のフィルタ装置。
【請求項４】
空気通路を形成する筐体（１）に配設され、空気中の粉塵、埃を除去する濾過部（１１）が所定のピッチに基づいて山折、谷折を交互に配列するように形成されたフィルタ部材（１０）を備えるフィルタ装置であって、
前記フィルタ部材（１０）は、空気流れ下流側の両端に谷折を配置させて前記所定のピッチよりも小さいピッチの谷折、山折からなる両端部（１０ａ）を形成するとともに、
前記両端部（１０ａ）に形成された少なくとも二つの谷折の下端部で前記筐体（１）と前記フィルタ部材（１０）の外郭とを気密するように前記筐体（１）に配設されることを特徴とするフィルタ装置。
【請求項５】
前記筐体（１）には、前記フィルタ部材（１０）を支持する支持部材（１ｂ）が設けられ、
前記支持部材（１ｂ）は、前記フィルタ部材（１０）の前記両端部（１０ａ）を支持するとともに、前記両端部（１０ａ）に形成された谷折の下端部で前記筐体（１）と前記フィルタ部材（１０）の外郭とを気密することを特徴とする請求項４に記載のフィルタ装置。
【発明の詳細な説明】
【技術分野】
【０００１】
本発明は、空気中の粉塵、埃を除去する濾過部が山折、谷折に交互に配列するように形成されたフィルタ部材を備えるフィルタ装置に関するものであり、特に、空気通路を形成する筐体に配設されるフィルタ部材の外郭と箱内との気密に関する。
【背景技術】
【０００２】
従来、この種のフィルタ装置として、例えば、図４（ａ）および図４（ｂ）に示すように、空気通路を形成する筐体１００に配設され、濾過部１２０の通風面積を大きくするために、その濾過部１２０が山折、谷折に交互に配列するように形成されたフィルタ部材１１０を備えたフィルタ装置が知られている。
【０００３】
そして、フィルタ部材１１０の外郭と筐体１００との隙間を気密するために、例えば、図４（ａ）に示すように、フィルタ部材１１０の濾過部１２０外周に外枠１３０を一体に形成させたフィルタ部材１１０を形成して、筐体１００に形成された支持部材１４０に配設している。また、この他に、図４（ｂ）に示すように、フィルタ部材１１０の濾過部１２０の外周にパッキン部材１４０を設けて支持部材１４０に配設している。
【発明の開示】
【発明が解決しようとする課題】
【０００４】
しかしながら、上記構成によれば、フィルタ部材１１０の外郭と筐体１００との隙間を気密するための外枠１３０、もしくはパッキン部材１４０が必要となることで部品コストが上昇する問題がある。
【０００５】
そこで、本発明の目的は、上記点を鑑みたものであり、フィルタ部材の外郭と筐体との隙間を気密可能なフィルタ部材を形成させることで、部品コストの低減が図れることを可能とするフィルタ装置を提供することにある。
【課題を解決するための手段】
【０００６】
上記、目的を達成するために、請求項１ないし請求項５に記載の技術的手段を採用する。すなわち、請求項１に記載の発明では、空気通路を形成する筐体（１）に配設され、空気中の粉塵、埃を除去する濾過部（１１）が所定のピッチに基づいて山折、谷折を交互に配列するように形成されたフィルタ部材（１０）を備えるフィルタ装置であって、フィルタ部材（１０）は、空気流れ下流側の両端に谷折を配置させて所定のピッチよりも小さいピッチの谷折、山折からなる両端部（１０ａ）を形成するとともに、両端部（１０ａ）に形成された少なくとも一つの山折の頂部で筐体（１）とフィルタ部材（１０）の外郭とを気密するように筐体（１）に配設されることを特徴としている。
【０００７】
請求項１に記載の発明によれば、両端部（１０ａ）が外側から谷折、山折の順に形成され、かつ山折の頂部を気密するように配設されることにより、従来のような気密部材を必要とせず気密することができることで部品コストの低減が図れる。また、両端部（１０ａ）のピッチが所定のピッチよりも小さくすることで、十分な通風面積を確保することができることで風量性能を悪化させることはない。さらに、空気流れ下流側の両端に谷折が配置されることにより、万が一、山折の頂部で気密洩れが起きても、末端の谷折で気密する方向に風圧を受けるため筐体（１）とフィルタ部材（１０）の外郭とを気密することができる。
【０００８】
請求項２に記載の発明では、フィルタ部材（１０）は、両端部（１０ａ）に形成された少なくとも一つの谷折の下端部で筐体（１）とフィルタ部材（１０）の外郭とを気密するように筐体（１）に配設されることを特徴としている。請求項２に記載の発明によれば、上述した請求項１で山折の頂部で気密洩れが起きても、谷折の下端部で気密することができる。これにより、より確実に筐体（１）とフィルタ部材（１０）の外郭とを気密することができる。
【０００９】
請求項３に記載の発明では、筐体（１）には、フィルタ部材（１０）を支持する支持部材（１ａ、１ｂ）が設けられ、この支持部材（１ａ、１ｂ）は、フィルタ部材（１０）の両端部（１０ａ）を支持するとともに、両端部（１０ａ）に形成された山折の頂部もしくは谷折の下端部で筐体（１）とフィルタ部材（１０）の外郭とを気密することを特徴としている。請求項３に記載の発明によれば、具体的には、支持部材（１ａ、１ｂ）が気密部材と兼用されることで、従来のような気密部材を必要とせず気密することができることで部品コストの低減が図れる。
【００１０】
請求項４に記載の発明では、空気通路を形成する筐体（１）に配設され、空気中の粉塵、埃を除去する濾過部（１１）が所定のピッチに基づいて山折、谷折を交互に配列するように形成されたフィルタ部材（１０）を備えるフィルタ装置であって、フィルタ部材（１０）は、空気流れ下流側の両端に谷折を配置させて所定のピッチよりも小さいピッチの谷折、山折からなる両端部（１０ａ）を形成するとともに、両端部（１０ａ）に形成された少なくとも二つの谷折の下端部で筐体（１）とフィルタ部材（１０）の外郭とを気密するように筐体（１）に配設されることを特徴としている。
【００１１】
請求項４に記載の発明によれば、上述の請求項１では、山折の頂部で気密するようにしたが、これに限らず、二つの谷折の下端部で気密させても良い。これによれば、山折の頂部を気密する支持部材（１ａ）を不要とすることができるため、さらに部品コストの低減が図れる。
【００１２】
請求項５に記載の発明では、筐体（１）には、フィルタ部材（１０）を支持する支持部材（１ｂ）が設けられ、支持部材（１ｂ）は、フィルタ部材（１０）の両端部（１０ａ）を支持するとともに、両端部（１０ａ）に形成された谷折の下端部で筐体（１）と前記フィルタ部材（１０）の外郭とを気密することを特徴としている。上述の請求項３と同じ効果を奏する。
【００１３】
なお、上記各手段の括弧内の符号は、後述する実施形態の具体的手段との対応関係を示すものである。
【発明を実施するための最良の形態】
【００１４】
（第１実施形態）
以下、本発明の第１実施形態におけるフィルタ装置を図１に基づいて説明する。図１は本発明のフィルタ装置を空気通路に適用した一例であり、本実施形態におけるフィルタ装置の全体構成を示す模式図である。
【００１５】
本実施形態のフィルタ部材１０は、図１に示すように、空気通路を形成する筐体１に配設され、空気中の粉塵、埃を除去する濾過部１１を有し、この濾過部１１の通風面積を大きくするために、この濾過部１１が山折、谷折に交互に配列するように形成されている。濾過部１１は、例えば、紙材や樹脂材の不織布から形成している。
【００１６】
そして、空気を濾過する部位は所定のピッチＰ１で形成されるとともに、フィルタ部材１０の両端部１０ａのピッチＰ２は所定のピッチＰ１よりも小さくなるように形成している。さらに、空気流れ下流側の両端に、谷折を配置して山折、谷折の順に交互に形成させている。なお、本実施形態では上記両端部１０ａには、少なくとも所定のピッチＰ１よりも小さいピッチＰ２で山折が少なくとも一つは形成されるようにしている。
【００１７】
そして、筐体１には、フィルタ部材１０を支持する支持部材１ａ、１ｂが形成されており、一方の支持部材１ａが両端部１０ａに形成された一つの山折の頂部１１ｂのを支持するとともにフィルタ部材１０の外郭と筐体１との隙間を気密するように形成されている。また、他方の支持部材１ｂは、同じように、両端部１０ａに形成された一つの谷折の下端部１１ａを支持するとともに、フィルタ部材１０の外郭と筐体１との隙間を気密するように形成されている。
【００１８】
これにより、フィルタ部材１０の外郭と筐体１との隙間が山折の頂部１１ｂと谷折の下端部１１ａとの二箇所にて気密されることになる。なお、図中に示す１０ｃは端板であって、板材からなり濾過部１１の両端面を固着している。
【００１９】
次に、以上の構成によるフィルタ装置の作用について説明する。空気通路を流れる空気は、所定のピッチで形成された谷折、山折からなる濾過部１１を通過することで空気中に含まれる粉塵、埃が除去される。万が一に、両端部１０ａに形成された山折の頂部１１ｂで気密洩れが起きても、末端の谷折が風圧を受けて谷折の濾過部１１を開くように変形するためフィルタ部材１０の外郭と筐体１との隙間が気密される。さらに、一つの谷折の下端部１１ａで気密されているため空気通路を流れる空気がフィルタ部材１０の外郭と筐体１との隙間に洩れることはない。
【００２０】
以上の第１実施形態のフィルタ装置によれば、両端部１０ａが外側から谷折、山折の順に形成され、かつ山折の頂部１１ｂを気密するように配設されることにより、従来のような気密部材を必要とせず気密することができることで部品コストの低減が図れる。また、両端部１０ａのピッチＰ２が所定のピッチＰ１よりも小さくすることで、十分な通風面積を確保することができることで風量性能を悪化させることはない。
【００２１】
さらに、空気流れ下流側の両端に谷折が配置されることにより、万が一、山折の頂部１１ｂで気密洩れが起きても、末端の谷折において気密する方向に風圧を受けるため気密不良を発生することはない。
【００２２】
また、両端部１０ａに形成された少なくとも一つの谷折の下端部１１ａで筐体１とフィルタ部材１０の外郭とを気密するように筐体１に配設されることにより、万が一、山折の頂部１１ｂで気密洩れが起きても、谷折の下端部１１ａで気密することができる。これにより、より確実に筐体１とフィルタ部材１０の外郭とを気密することができる。
【００２３】
（第２実施形態）
以上の第１実施形態では、フィルタ部材１０を支持する二つの支持部材１ａ、１ｂを筐体１に形成したが、これに限らず、一方の空気流れ下流側の支持部材１ｂのみを形成しても良い。具体的には、図２に示すように、両端部１０ａには、少なくとも所定のピッチＰ１よりも小さいピッチＰ２で二つの谷折を形成して、空気流れ下流側の支持部材１ｂが二つの谷折の下端部１１ａを支持するとともに、筐体１とフィルタ部材１０の外郭とを気密するように構成したものである。これによれば、山折の頂部１１ｂを気密する支持部材１ａを不要とすることができるため、さらに部品コストの低減が図れる。
【００２４】
（他の実施形態）
以上の第１実施形態では、フィルタ部材１０を支持する二つの支持部材１ａ、１ｂを筐体１に形成して、この支持部材１ａ、１ｂでフィルタ部材１０の両端部１０ａに形成された山折の頂部１１ｂもしくは谷折の下端部１１ａを支持するとともに、気密するように構成したが、図３に示すように、空気流れ下流側の支持部材１ｂを支持のみするように部分的に形成しても良い。これによれば、第１実施形態で述べたように、万が一、山折の頂部１１ｂで気密洩れが起きても、末端の谷折において気密する方向に風圧を受けるため気密不良を発生することはない。
【図面の簡単な説明】
【００２５】
【図１】本発明の第１実施形態におけるフィルタ装置の全体構成を示す模式図である。
【図２】本発明の第２実施形態におけるフィルタ装置の全体構成を示す模式図である。
【図３】他の実施形態におけるフィルタ装置の全体構成を示す模式図である。
【図４】（ａ）および（ｂ）は従来技術におけるフィルタ装置の全体構成を示す模式図である。
【符号の説明】
【００２６】
１…筐体
１ａ、１ｂ…支持部材
１０…フィルタ部材
１０ａ…両端部
１１…濾過部
【図１】
2005296815.tif 000003
【図２】
2005296815.tif 000004
【図３】
2005296815.tif 000005
【図４】
2005296815.tif 000006